(57)【要約】      （修正有）【課題】短い睫毛の多い目頭側の睫毛や目尻側の睫毛にも、適量のマスカラ用の化粧料を塗ることができる化粧料塗布具を提供する。【解決手段】化粧料塗布具１は把持部１１と塗布部を備える。塗布部は、把持部１１から延びる軸部１２、ブラシ部１３及び植毛部１４を備えている。ブラシ部１３は、２本の金属製ワイヤの間にブラシ毛を差し込んだ状態で螺旋状に巻き付けられている。植毛部１４は、ブラシ部１３を構成する金属製ワイヤに連なる金属製の先端ワイヤからなる先端ワイヤ部と、先端ワイヤ部の表面にブラシ毛より細かい繊維を備えた構成になっている。先端ワイヤ部は、先端ワイヤを複数回捲回してなる捲回部を有している。【選択図】図１
2018134422.tif 000002
【特許請求の範囲】
【請求項１】
把持部と塗布部とを備える化粧料塗布具であって、
前記塗布部は、把持部から延びる軸部、該軸部から放射状に延びるブラシ毛によるブラシ部、及び該軸部における把持部とは反対側の先端に植毛部とを備えており、
前記ブラシ部は、２本の金属製ワイヤの間に前記ブラシ毛を差し込んだ状態で螺旋状に巻き付けられて形成されており、
前記植毛部は、前記ブラシ部を構成する前記金属製ワイヤに連なる金属製の先端ワイヤからなる先端ワイヤ部と、該先端ワイヤ部の表面に前記ブラシ毛よりも細かい繊維を備えた構成になっており、
前記先端ワイヤ部は、前記先端ワイヤを複数回捲回してなる捲回部を有している化粧料塗布具。
【請求項２】
前記植毛部の外形が、略塊状である請求項１に記載の化粧料塗布具。
【請求項３】
前記先端ワイヤ部は、前記先端ワイヤの一捲回によって画定されるループ面が前記ブラシ部の延びる方向と略直交するように、該先端ワイヤが捲回されて形成されている捲回部を有している請求項２に記載の化粧料塗布具。
【請求項４】
前記先端ワイヤ部は、前記先端ワイヤの一捲回によって画定されるループ面が前記ブラシ部の延びる方向と略平行になるように、該先端ワイヤが捲回されて形成されている捲回部を有している請求項２に記載の化粧料塗布具。
【請求項５】
前記植毛部の前記繊維は、その存在密度が、前記ブラシ部の前記ブラシ毛の存在密度よりも高い請求項１〜４のいずれか１項に記載の化粧料塗布具。
【請求項６】
前記ブラシ部の前記ブラシ毛の先端を繋いだ該ブラシ部の外形と、前記植毛部の外形との間に空隙部を有する請求項１〜５のいずれか１項に記載の化粧料塗布具。
【請求項７】
前記塗布部は前記軸部における前記ブラシ部から前記植毛部までの全領域が湾曲した形状である請求項１〜６のいずれか１項に記載の化粧料塗布具。
【請求項８】
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における最大径との割合（前記植毛部の最大径／前記ブラシ部最大径）が０．５以上、１．５以下である請求項１〜７のいずれか１項に記載の化粧料塗布具。
【請求項９】
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における前記把持部とは反対側の先端径との割合（前記植毛部の最大径／前記ブラシ部先端径）が０．５以上、３以下である請求項１〜８のいずれか１項に記載の化粧料塗布具。
【請求項１０】
請求項１〜９のいずれか１項に記載の化粧料塗布具と、化粧料を収容するための容器とを備える化粧料塗布装置であって、前記化粧料塗布具は、前記容器の口部から該容器内に出入自在になっており、前記容器には、その口部又はその近傍に、しごき孔を有する可撓性のしごき弁が設けられている化粧料塗布装置。
【発明の詳細な説明】
【技術分野】
【０００１】
本発明は、化粧料を睫毛や眉毛に塗布するために用いられる化粧料塗布具に関する。
【背景技術】
【０００２】
従来より、１本の金属製ワイヤを折り曲げ二つ折りしてなる一対のワイヤの間にブラシ毛を差し込み、この状態で捩ることによりブラシ毛が放射状に植え込まれてなるブラシ部を有する液塗布具が検討されている。例えば、特許文献１には、ブラシ毛の外表面に、縦方向に延長する塗布液保持溝を形成した多量塗布ブラシ部と、先端に塗布液保持溝をもたない少量塗布ブラシ部とを有する液塗布具が記載されている。同文献には、この液塗布具を用いることで、１回の塗布操作で十分に濃い塗布液を塗布でき、かつ細部についても塗布液を塗布することができると記載されている。
【０００３】
また特許文献２には、瞼のカーブに沿わせるために円弧状に形成したマスカラブラシにおいて、円弧を平面視で半径１３ｍｍ〜２５ｍｍに設定したことが記載されている。同文献には、このマスカラブラシによれば、手間をかけないで睫毛にマスカラを簡単に塗布できると記載されている。
【０００４】
更に、特許文献３には、ブラシ毛を芯部材に放射状に取り付けたブラシ部を軸部とするマスカラ塗布具において、芯部材を弧状にし、更にブラシ部の先端にブラシ毛より細い繊維パイルで植毛したことが記載されている。同文献には、このマスカラ塗布具によれば、目立つ睫毛の中央部のマスカラ処理を効率よく行い、カールアップも容易であると記載されている。
【先行技術文献】
【特許文献】
【０００５】
【特許文献１】特開２００７−２８３１４５号公報
【特許文献２】特開２００１−２８６３４０号公報
【特許文献３】特開２００５−８７６３５号公報
【発明の概要】
【発明が解決しようとする課題】
【０００６】
特許文献１及び２に記載されたマスカラ塗布具を、マスカラ塗布液を収容した容器から引き抜き、容器の開口部又は口部付近において、余分なマスカラを取り除く上下に動かすしごき操作を行った場合、しごいた後のマスカラ塗布具の把持部に近いブラシ部への液の付着が良好でなく、液の濃い部分と薄い部分が見られ、マスカラ塗布液がむらになりやすい。また、ブラシ部の先端においても、余分なマスカラ塗布液を取り除くために上下に動かすしごき操作を行っても、先端に大きな液ダマが塊状に付きやすい。これはしごき操作時のブラシ部への液の行きわたりが不十分であることが原因と考えられる。
【０００７】
このようにマスカラ塗布液がむらになって付着したマスカラ塗布具を用いて、睫毛に液を塗布すると、先端に多量の液が付いた状態なので、睫毛にむらに付着し、更に毛束をつくる原因となる。本発明者らは、睫毛の目頭、目尻、下睫毛部分は塗布液を塗りにくい部位であり、しかも、目頭は睫毛が短く、一度に多量の塗布液が付着すると、睫毛に毛束ができ、美的外観を損なうという課題を見出した。更に、生じた毛束を修正しようとしても、先端に多量の液が付いているので、部分修正も容易にできず、非常に使い勝手を損なう。
【０００８】
特許文献３に記載されたマスカラ塗布具においても、睫毛の目頭から目尻まで一度に液を塗布すると、睫毛の目頭、目尻部分に液がむらに付着しやすい。この理由は、ブラシの先端の芯部材がブラシ部の針金と異なる材料であることに起因している。その結果、ブラシは追随性に劣り、ブラシの先端が睫毛に届かないので、液の塗りむらが発生し、中央部にしか液を塗ることができず、美観を損なう。
【０００９】
以上のように特許文献３に記載のマスカラ塗布具では、目頭側から目尻側にわたる睫毛の大部分にマスカラ用の化粧料を一度で塗布することが難しかった。また、特許文献３には、睫毛にマスカラ用の化粧料を一度で塗布するための、ブラシ部と植毛ブラシ部との配置関係に関して、何ら記載されていない。
【００１０】
したがって本発明は、前述した従来技術が有する欠点を解消し得る化粧料塗布具に関する。
【課題を解決するための手段】
【００１１】
本発明は、把持部と塗布部とを備える化粧料塗布具であって、
前記塗布部は、把持部から延びる軸部、該軸部から放射状に延びるブラシ毛によるブラシ部、及び該軸部における把持部とは反対側の先端に植毛部とを備えており、
前記ブラシ部は、２本の金属製ワイヤの間に前記ブラシ毛を差し込んだ状態で螺旋状に巻き付けられて形成されており、
前記植毛部は、前記ブラシ部を構成する前記金属製ワイヤに連なる金属製の先端ワイヤからなる先端ワイヤ部と、該先端ワイヤ部の表面に前記ブラシ毛よりも細かい繊維を備えた構成になっており、
前記先端ワイヤ部は、前記先端ワイヤを複数回捲回してなる捲回部を有している化粧料塗布具を提供するものである。
【発明の効果】
【００１２】
本発明によれば、例えばマスカラ用の化粧料の塗布具として用いると、容器から引き抜いた際に、塗布具のブラシ部全体に均一に化粧料が付着し、更にブラシ部の先端に化粧料が塊状に付き難く、例えば短い睫毛の多い目頭側の睫毛、目尻側の睫毛、下睫毛にも、適量のマスカラ用の化粧料を塗ることができる。その結果、睫毛にダマや毛束の発生が抑制され、また塗り残しが防止される。更に、ブラシ部を構成するワイヤが植毛部に連なっているため、塗布時においてブラシ部と植毛部との追随性に優れる。しかもワイヤが先端で捲回しているので、植毛部の表面に凹凸ができ、植毛を密に付着させることができ、化粧料の保持性に優れるので、睫毛にむらなく塗ることができる。その上、ワイヤは加工が容易であるので、目的に応じて自由な形状に形成することができ、長期間にわたって連用しても、植毛部の形が崩れることがなく、いつまでも新品と同じ外観及び質感で使用することが可能である。
【図面の簡単な説明】
【００１３】
【図１】図１は、本発明の１実施形態である化粧料塗布具を備えた化粧料塗布装置の一部破断正面図である。
【図２】図２は、図１に示す化粧料塗布具の斜視図である。
【図３】図３は、図２に示す化粧料塗布具における、ブラシ部が最も湾曲する状態から見た側面図である。
【図４】図４は、植毛部を構成する先端ワイヤ部及びその要部を拡大して示す一部破断斜視図である。
【図５】図５は、植毛部を構成する先端ワイヤ部及びその要部の別の実施形態を拡大して示す一部破断斜視図（図４相当図）である。
【図６】図６は、植毛部の形状が異なる他の化粧料塗布具における、ブラシ部が最も湾曲する状態から見た側面図である（図３相当図）。
【図７】図７は、植毛部の形状が更に異なる他の化粧料塗布具における、ブラシ部が最も湾曲する状態から見た側面図である（図３相当図）。
【図８】図８は、図３に示す植毛部の形状を説明するための図である。
【図９】図９は、図７に示す植毛部の形状を説明するための図である。
【図１０】図１０は、図３に示すブラシ部と植毛部との境界の空隙部を説明するための図である。
【図１１】図１１（ａ）及び図１１（ｂ）は、図１に示す化粧料塗布具の使用状態の例を示す説明図である。
【図１２】図１２は、本発明の化粧料塗布具の別の実施形態を示す斜視図（図２相当図）である。
【発明を実施するための形態】
【００１４】
以下、本発明を、その好ましい実施形態に基づき図面を参照しながら説明する。
以下の説明においては、図１〜図３に示すように、後述する化粧料塗布具１の軸部１２の把持部１１側の軸の延びる軸方向をＹ方向、軸方向（Ｙ方向）に直交する周に向かう方向（径方向）をＸ方向として説明する。また、図１〜図３に示すように、軸方向（Ｙ方向）については、後述する化粧料塗布具１の把持部１１側を上側として説明し、後述する植毛部１４側を下側として説明する。
【００１５】
図１には、本発明の化粧料塗布具１を備えた化粧料塗布装置１００の一実施形態の正面図が、一部破断した状態で示されている。化粧料塗布装置１００は、化粧料３を塗布するための化粧料塗布具１（以下、単に「塗布具１」とも言う。）と、化粧料３を収容するための容器２とを備えている。以下、塗布具１及び容器２についてそれぞれ説明する。
【００１６】
まず、容器２について説明する。容器２は、その内部に化粧料３を収容できる有底の形状であれば任意の形状でよく、本実施形態では、図１に示すように、有底の軸方向（Ｙ方向）に細長い円筒形状に形成されている。容器２は、その内部に化粧料３を収容できるようになっている。容器２は、その底部と対向して口部２３を有する。口部２３は軸方向（Ｙ方向）上方に向けて開口している。口部２３の外周面にはネジ部２２が設けられている。このネジ部２２は、後述する塗布具１の把持部１１の内周面に設けられたネジ部（図示せず）と螺合可能になっている。
【００１７】
容器２には、その口部２３又は口部２３の近傍に、しごき孔２１１を有する可撓性のしごき弁２１が設けられている。具体的には、図１に示すように、容器２における口部２３は、その近傍にしごき弁２１を有している。しごき弁２１は、容器２の口部２３から底部に向けて縮径した漏斗状の形状を含んでおり、その軸方向（Ｙ方向）下端の位置にしごき孔２１１を有している。しごき孔２１１は、後述する塗布具１における連結部１２１、ブラシ部１３及び植毛部１４の通過が自在になっている。しごき孔２１１は、容器２の横断面視において、しごき弁２１の径方向（Ｘ方向）略中央部に形成されている。また、しごき孔２１１は円孔となっている。この円孔の周りには、スリットが放射状に１つ又は２つ以上入ってもよい。しかし、しごき孔２１１の形状はこれに限られない。しごき孔２１１は、塗布具１の下端側に位置するブラシ部１３及び植毛部１４を容器２内に挿入し、また容器２内から抜き出すことが可能な大きさを有している。しごき弁２１は、塗布具１の連結部１２１、ブラシ部１３及び植毛部１４に付着した過剰量の化粧料３を適度にしごき取るために用いられる。この目的のために、しごき弁２１はゴムや樹脂等の弾性変形可能な材料から構成されている。なお図１においては、しごき弁２１は、口部２３の近傍、即ち口部２３から若干離れた軸方向（Ｙ方向）下方寄りに位置しているが、これに代えて、口部２３の位置に、しごき弁２１を配置してもよい。容器本体３の口部２３の近傍部分には、口部２３から若干離れた箇所から口部２３までの部分が含まれる。
【００１８】
塗布具１は、図１に示すように、上述した構成の容器２の口部２３から容器２内に出入自在になっている。塗布具１は、把持部１１と塗布部１０とを備えている。塗布部１０は、把持部１１から延びる軸部１２、軸部１２から放射状に延びるブラシ毛によるブラシ部１３、及び軸部１２における把持部１１とは反対側の先端に位置する植毛部１４を備えている。把持部１１とブラシ部１３との間には、細長い柱状の連結部１２１が介在している。このように、塗布具１は、把持部１１に固定された連結部１２１の先端にブラシ部１３及び植毛部１４を有している。把持部１１は、使用時に指で把持する部分であり、本実施形態においては、容器２の口部２３を覆う蓋体の役割も担う部分である。把持部１１は、一直線状に軸方向（Ｙ方向）に平行に延びる棒状の連結部１２１の上端部と連結している。そして、連結部１２１の軸方向（Ｙ方向）下端部に、ブラシ部１３及び植毛部１４が設けられている。以下、ブラシ部１３及び植毛部１４について詳述する。図２は、図１の塗布具１の側面図であり、図３は、図２の塗布具１の要部拡大側面図である。
【００１９】
ブラシ部１３は、図２及び図３に示すように、湾曲した形状を有し、２本の金属製ワイヤ１３１の間にブラシ毛１３２を差し込んだ状態で螺旋状に巻き付け、該ブラシ毛１３２が放射状に植え込まれて形成されている。具体的には、１本の金属製ワイヤ１３１を折り返して２本とした後、これら２本の金属製ワイヤ１３１の間にブラシ毛１３２を差し込む。その後、ブラシ毛１３２を差し込んだ２本の金属製ワイヤ１３１を螺旋状に捩ることによって、軸方向（Ｙ方向）に細長い芯体１３３が形成されるとともに、ひねりの間にブラシ毛１３２が保持され、細長い芯体１３３の全長に沿って放射状にブラシ毛１３２が規則的に植え込まれる。このようにしてブラシ部１３が形成される。なお本実施形態においては、１本の金属製ワイヤ１３１を折り返して２本としたが、独立した２本の金属製ワイヤ１３１を用いてもよい。このように形成されたブラシ部１３の芯体１３３の軸方向（Ｙ方向）上端側を、連結部１２１の軸方向（Ｙ方向）下端に差し込んで連結している。ブラシ部１３の芯体１３３と連結部１２１との連結部の固定は、芯体１３３を連結部１２１に埋め込んで連結することで行われる。
【００２０】
ブラシ部１３の芯体１３３を形成する金属製ワイヤ１３１としては、ステンレス製等の針金を用いることができる。ステンレス製の針金は、その直径が０．１ｍｍ以上２ｍｍ以下であることが好ましく、０．４ｍｍ以上１ｍｍ以下であることがより好ましい。
【００２１】
ブラシ毛１３２の材質としては、ナイロン、テトロン、ポリプロピレン、ポリエステル等の合成樹脂からなる合成樹脂繊維、レーヨン等の半合成繊維、あるいは動物の毛などの天然繊維を用いることができる。また、ブラシ毛１３２としては、中実繊維毛でも中空繊維毛であってもよい。また、ブラシ毛１３２は、その断面が円形、楕円形、多角形等の形状であってもよい。ブラシ毛１３２に使用する際には、材質、形状及び断面が同じ１種類の毛を単独で、又は、材質、形状及び断面の少なくとも１つが異なる種類の毛をブレンドして用いることができる。ブラシ毛１３２の材質、形状及び断面は、塗布対象部位、あるいは使用する化粧料３の種類に応じて、適切なものが選択される。なかでもナイロン等の合成樹脂からなる合成樹脂繊維が好ましい。
【００２２】
ブラシ毛１３２は、芯体１３３を形成する金属製ワイヤ１３１の一巻き毎に、３本以上８５本以下植え込まれていることが好ましく、５本以上６０本以下植え込まれていることがより好ましい。
ブラシ毛１３２は、その太さが、３０μｍ以上２５０μｍ以下であることが好ましく、５０μｍ以上２００μｍ以下であることが更に好ましい。
また、ブラシ毛１３２の長さは、１ｍｍ以上１５ｍｍ以下であることが好ましく、２ｍｍ以上８ｍｍ以下であることがより好ましい。ブラシ毛１３２の長さの測定は、金属製ワイヤ１３１に巻き付けたときのブラシ毛１３２の先端から末端までの長さを示している。
なお本実施形態においては、ブラシ毛１３２の芯体１３３表面からの長さが一定であるが、長さが異なっていてもよい。ブラシ毛１３２の長さが異なる例としては、例えば、芯体１３３における軸方向（Ｙ方向）の上端側から後端側に向かって、ブラシ毛１３２の芯体１３３表面からの長さが漸次短くなっていたり、漸次長くなっていたりする形態や、芯体１３３における軸方向（Ｙ方向）の上側から下側に向かって、ブラシ毛１３２の芯体１３３表面からの長さが漸次長くなり、続いて漸次短くなるような形態、あるいは不規則的にブラシ毛１３２の芯体１３３表面からの長さが異なる形態等が挙げられる。
【００２３】
塗布部１０は、軸部１２におけるブラシ部１３から植毛部１４までの全領域が湾曲した形状で形成されている。具体的には、ブラシ部１３から植毛部１４までの全領域の外面が前記芯体１３３に沿って湾曲し、ブラシ毛１３２の先端を繋いだブラシの外形が、円筒状になっている。そのブラシ部１３が最も湾曲する状態を側面視して、ブラシ部１３のブラシ部の最大径が、ブラシ部の中央領域で最大となる凸面形状（中央が膨出した円柱形状）でも、ブラシ部の中央領域で最小となる凹面形状（両端が膨出した円柱形状）でも、平坦な形状（全体が概ね同径の湾曲した円柱形状）、先端に向けて径が小さくなる先細円柱形状が挙げられるが、ブラシ部１３が最も湾曲する状態を側面視して、ブラシ部１３のブラシ部の最大径が、ブラシ部１３の中央領域で最大となる形状が好ましい。
ブラシ部１３が最も湾曲する状態を側面視して、ブラシ部１３のブラシ部の最大径は、１ｍｍ以上１５ｍｍ以下であることが好ましく、２ｍｍ以上８ｍｍ以下であることがより好ましい。
ブラシ部１３の最も湾曲する状態を側面視して、把持部とは反対側の先端径は、１ｍｍ以上１５ｍｍ以下であることが好ましく、２ｍｍ以上８ｍｍ以下であることがより好ましく、２ｍｍ以上６ｍｍ以下が更に好ましい。
ブラシ部１３の把持部とは反対側の先端径は、ブラシ部１３の円筒の最大径との差が、９ｍｍ以下が好ましく、７ｍｍ以下がより好ましく、２ｍｍ以下が更に好ましい。ブラシ部１３の把持部とは反対側の先端径は、ブラシ部１３の円筒の最大径と同等の長さでもよい。
【００２４】
以上のように構成されたブラシ部１３は、図２及び図３に示すように、湾曲した形成を有する。即ち、ブラシ部１３は、全長にわたって湾曲している。ブラシ部１３は、例えば目の瞼のカーブに沿わせる観点から、湾曲した形状が円弧状であることが好ましく、その曲率半径が、１０ｍｍ以上３００ｍｍ以下であることがより好ましく、１３ｍｍ以上２００ｍｍ以下であることが更に好ましく、３０ｍｍ以上１００ｍｍ以下であることがより更に好ましい。
【００２５】
ブラシ部１３の軸方向（Ｙ方向）下端（先端）に設けられる植毛部１４は、図４に示すとおり、ブラシ部１３を構成する金属製ワイヤ１３１に連なる金属製の先端ワイヤ１６１からなる先端ワイヤ部１６を有している。先端ワイヤ部１６の表面には、図２に示すとおり、静電植毛によって複数本の繊維１４１が固定されている。また先端ワイヤ部１６は、図４に示すとおり、先端ワイヤ１６１をコイル状に複数回捲回してなる捲回部１６２を有している。捲回部１６２は中空構造になっていてもよい。
【００２６】
図４に示すとおり、先端ワイヤ１６１は、ブラシ部１３を構成する金属製ワイヤ１３１が、該ブラシ部１３の先端から延出した延出部分からなる。したがって、先端ワイヤ１６１は金属製ワイヤ１３１と同一の１本又は２本以上のワイヤから構成されている。この１本のワイヤを二つ折りし、折り返された部位を含むように先端ワイヤ１６１をコイル状に捲回することで、前記の先端ワイヤ部１６が形成されている。このように、ブラシ部を構成するワイヤが植毛部に連なっていることで、塗布時のブラシ部と植毛部の追随性に優れ、しかも、ワイヤが先端で捲回しているので、植毛を密に付着させることができ、化粧料の保持性に優れるので、睫毛にむらなく塗ることができる。しかもワイヤは加工が容易であるので、目的に応じて自由な形状を創作することができ、長期間にわたり連用しても、植毛部の形が崩れにくく、いつまでも新品と同じ外観及び質感で使用することが可能である。
【００２７】
図４に示すとおり、先端ワイヤ部１６は、先端ワイヤ１６１の一捲回によって画定されるループ面が、ブラシ部１３の延びる方向と略直交するように、該先端ワイヤ１６１が捲回されて形成された捲回部１６２を有している。そして先端ワイヤ部１６は、その捲回部１６２を構成する先端ワイヤ１６１が、隣り合う該先端ワイヤ１６１との間に隙間が生じないように捲回されて形成されている。先端ワイヤ部１６がこのような構造になっていることで、先端ワイヤ部１６に、繊維１４１を密に静電植毛することができる。それによって植毛部１４によって奏される有利な効果を一層顕著なものとすることができる。略直交とは、前記ループ面とブラシ部１３の延びる方向とが９０度±１０度の範囲で交差していることを言う。
【００２８】
図５には、先端ワイヤ部１６の別の実施形態が示されている。同図に示す先端ワイヤ部１６は、先端ワイヤ１６１の一捲回によって画定されるループ面の方向が図４に示す実施形態と異なっている。具体的には、図５に示す先端ワイヤ部１６は、先端ワイヤ１６１の一捲回によって画定されるループ面がブラシ部１３の延びる方向と略平行になるように、該先端ワイヤ１６１が捲回されて形成された捲回部１６２を有している。略平行とは、前記ループ面とブラシ部１３の延びる方向とが完全に平行な場合及び、±１０度の範囲で交差していることを言う。
【００２９】
図４及び図５に示す先端ワイヤ部１６に静電植毛を行って植毛部１４を形成するには、該先端ワイヤ部１６に接着剤を塗布した後に、公知の方法で繊維１４１を静電植毛すればよい。
【００３０】
植毛部１４を構成する繊維１４１の材質としては、ナイロン、ポリプロピレン、ポリエステル、ポリブチレンテレフタレート等の合成樹脂からなる合成樹脂繊維、レーヨン等の半合成繊維、あるいは動物の毛などの天然繊維を用いることができる。繊維１４１の材質は、塗布対象部位、あるいは使用する化粧料３の種類に応じて、適切なものが選択される。なかでもナイロン等の合成樹脂繊維及びレーヨン等の半合成繊維が好ましい。
【００３１】
植毛部１４の繊維１４１は、化粧料３を適量含ませたり、睫毛の目頭、目尻、下睫毛におけるダマや毛束の発生を抑制したり、均一に塗布したりする観点から、その存在密度（即ち単位面積当たりの存在本数）が、ブラシ部１３のブラシ毛１３２の存在密度よりも高いことが好ましく、ブラシ部１３のブラシ毛１３２の存在密度の１倍超２００００倍以下であることが好ましく、ブラシ部１３のブラシ毛１３２の存在密度の２倍以上２０００倍以下であることが更に好ましい。具体的には、植毛部１４の繊維１４１の存在密度は、好ましくは１本／ｍｍ2以上１００００本／ｍｍ2以下、より好ましくは３０本／ｍｍ2以上５０００本／ｍｍ2以下である。また、ブラシ部１３のブラシ毛１３２の存在密度は、好ましくは０．１本／ｍｍ2以上１００本／ｍｍ2以下、より好ましくは１本／ｍｍ2以上３０本／ｍｍ2以下、更に好ましくは３本／ｍｍ2以上２５本／ｍｍ2以下が好ましい。
【００３２】
ブラシ部１３のブラシ毛１３２の存在密度は、針金部の単位面積あたりのブラシ毛の本数のようにして測定することができる。一方、植毛部１４の繊維１４１の存在密度は、単位面積あたりの植毛繊維の本数のようにして測定することができる。
【００３３】
また、植毛部１４の繊維１４１は、その太さが、１μｍ以上２９μｍ以下であることが好ましく、７μｍ以上２４μｍ以下であることがより好ましい。
また、植毛部１４の繊維１４１は、先端ワイヤ部１６の先端ワイヤ１６１の表面からの長さが、０．１ｍｍ以上７ｍｍ以下であることが好ましく、０．３ｍｍ以上５ｍｍ以下であることがより好ましい。０．５ｍｍ以上４ｍｍ以下であることが更に好ましい。なお本実施形態においては、繊維１４１の植毛用基部の表面からの長さが一定であるが、長さが異なっていてもよい。
植毛部の繊維は、前記繊維長さになるよう静電植毛して製造してもよいが、長めの繊維を静電植毛した後、トリミングを施して繊維の長さを調整し、製造してもよい。
【００３４】
以上のように構成された化粧料塗布具１は、図３に示すように、ブラシ部１３が最も湾曲する状態を側面視して、内側部分に位置する放射状のブラシ毛１３２の先端どうしを繋いで形成される内側仮想曲線ＩＬ１の延長線上に沿って、先端に植毛部１４の軸部１２を通る最大径の外形（外周縁）が配置されている。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで適量を貯留させることができる。更に睫毛に塗布した際に睫毛の目頭から目尻まで一度に均一に塗ることができ、睫毛に化粧料３のダマや毛束の発生を抑制することができる。なお延長線上に沿ってとは、植毛部１４の最大径の外形（外周縁）が、延長線上の外側１ｍｍから内側１ｍｍの範囲内にある程度を言う。
【００３５】
また、ブラシ毛１３２の先端どうしを繋いで形成される内側仮想曲線ＩＬ１を描く際、本実施形態のように、ブラシ毛１３２の芯体１３３表面からの長さが一定である場合、あるいは、芯体１３３における軸方向（Ｙ方向）の上端側から下端側に向かって、ブラシ毛１３２の芯体１３３表面からの長さが漸次短くなっていたり、漸次長くなっていたりする形態の場合は、実際のブラシ毛１３２の先端どうしを繋ぐことにより内側仮想曲線ＩＬ１を描くことができる。ブラシ毛１３２の芯体１３３表面からの長さが不規則的に異なる形態の場合は、ランダムに２０本のブラシ毛１３２を抽出し、それから平均長さを求め、求められた平均長さのブラシ毛１３２を基準に、仮想のブラシ毛１３２の先端どうしを繋ぐことにより内側仮想曲線ＩＬ１を描くことができる。
【００３６】
前記塗布部１０が最も湾曲する状態を側面視して、植毛部１４の軸部１２を通る最大径と、ブラシ部１３のブラシ毛１３２の先端を繋いだブラシの外形による湾曲した形状（円柱形状）の仮想三次元の立体円柱構造における、把持部１１とは反対側の先端径との割合（植毛部１４の最大径／ブラシ部１３の先端径）は、０．５以上３以下が好ましく、０．６以上１．４以下がより好ましく、０．７以上１．２以下が更に好ましく、０．８以上１．１以下がより更に好ましい。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで、適量の化粧料３を概ね均一に貯留させることができ、更に化粧料３を睫毛に塗布した際に睫毛の目頭から目尻まで一度に均一に塗ることができ、睫毛に化粧料３のダマや毛束の発生を抑制し、塗り残しを防止することができる。
【００３７】
前記塗布部１０が最も湾曲する状態を側面視して、植毛部１４の軸部１２を通る最大径と、ブラシ部１３のブラシ毛１３２の先端を繋いだブラシの外形による湾曲した形状（円柱形状）の仮想三次元の立体円柱構造における最大径との割合（植毛部１４の最大径／ブラシ部１３の最大径）が、０．５以上１．５以下が好ましく、０．５以上１．３以下がより好ましく、０．６以上１．２以下が更に好ましく、０．８以上１．１以下がより更に好ましい。このことにより、化粧料３を収容した容器２から化粧料塗布具１を引き抜き、余分な化粧料３を取り除く上下に動かすしごき操作を行った場合に、把持部１１に近いブラシ部１３から植毛部１４まで、適量の化粧料３を概ね均一に留保させることができ、更に化粧料３を睫毛に塗布した際に睫毛の目頭から目尻まで一度に均一に塗ることができ、睫毛に化粧料３のダマや毛束の発生を抑制し、塗り残しを防止することができる。
【００３８】
植毛部１４の形状としては、内側仮想曲線ＩＬ１の延長線上に沿って、軸方向（Ｙ方向）下側（先端）に配置されている形状が挙げられる。例えば、図３に示すような軸方向（Ｙ方向）下方寄りに最大幅を有する卵形状や雫形状、図６に示すような軸方向（Ｙ方向）中心に最大幅を有する球形状、図７に示すような軸方向（Ｙ方向）上方寄りに最大幅を有する逆卵形状や逆雫形状の他、多角形状であってもよく、デザイン柄形状等であってもよい。
なお図３に示す雫形状の植毛部１４及び図７に示す逆雫形状の植毛部１４は、形状が軸方向（Ｙ方向）に細長くなっているため、内側仮想曲線ＩＬ１の延長線に線で接しており、化粧料塗布具１のブラシ部１３から植毛部１４までが、睫毛の目尻から目頭まで、ぴったりとフィットした状態で一度に塗布できる。更に、図３に示す雫形状の場合、下睫毛への塗布が容易になる。また、図７に示す逆雫形状の場合、植毛部が細くなっているので、塗布時に視界を遮らず、塗りにくい目頭・目尻部分にもきめ細かく塗布することができる。
【００３９】
具体的に、図３に示す軸方向（Ｙ方向）下方寄りに最大幅を有する卵形状（雫形状）について、図８を用いて詳述する。「軸方向（Ｙ方向）下方寄りに最大幅を有する卵形状（雫形状）」とは、図８に示すように、植毛部１４の複数本の繊維１４１それぞれの先端どうしを結んだ軸方向（Ｙ方向）に長い球形状と、該長い球形状における最も長い部位を通って該長い球形状を囲む仮想真球状ＩＳとを描いた際に、該仮想真球状ＩＳの重心の位置の方が該長い球形状の重心の位置よりも把持部１１側にある球形状のことを意味する。また、図７に示す軸方向（Ｙ方向）上方寄りに最大幅を有する逆卵形状（逆雫形状）について、図９を用いて詳述する。「軸方向（Ｙ方向）上方寄りに最大幅を有する逆卵形状（逆雫形状）」とは、図９に示すように、植毛部１４の複数本の繊維１４１それぞれの先端どうしを結んだ軸方向（Ｙ方向）に長い球形状と、該長い球形状における最も長い部位を通って該長い球形状を囲む仮想真球状ＩＳとを描いた際に、該長い球形状の重心の位置の方が該仮想真球状ＩＳの重心の位置よりも把持部１１側にある球形状のことを意味する。なお図６に示す軸方向（Ｙ方向）中心に最大幅を有する球形状とは、該球形状の重心の位置と仮想真球状ＩＳの重心の位置とが一致する球形状のことを意味する。
【００４０】
植毛部１４の形状は、先に述べた先端ワイヤ部の形状に応じて任意にコントロールすることができる。具体的には、先端ワイヤをコイル状に複数回捲回して捲回部を形成するときに、１回毎のループの形状やループの大きさを調整することで、所望の立体形状を有する先端ワイヤ部を形成することができる。ループの形状に関しては、例えば、円形、楕円形、長円形、雫形、三角形、四角形などが挙げられる。これらの形状の大小様々なループを組み合わせることで、上述した各図に示す形状の植毛部１４のもととなる捲回部を形成することができる。
更に、植毛部１４の形状は、塊状であることが好ましく、回転体や非回転体であってもよい。非回転体としては、三角錐、四角錐、六面体、八面体等の多面体、特定の形を持たない不定形が挙げられる。なかでも、睫毛の目尻から目頭まで、ぴったりとフィットした状態で一度に塗布の点から回転体形状であることが好ましい。ここで言う回転体形状は、線対称な仮想平面形状の線対称面中心線を仮想軸とし、仮想軸を中心に回転させて得られる形状である。線対称な仮想平面としては、円形、楕円、釣鐘形状、雫形、角がＲ形状の三角形、四角形やトラック形状等が挙げられ、回転体は、曲面で構成されていることが好ましい。
【００４１】
先端ワイヤ部に捲回部を形成するには、公知の方法を適宜に採用すればよい。そのような方法としては、例えば、コンピューター数値制御を搭載した、ワイヤ曲げ加工機やワイヤフォーミングマシンなど、線材を三次元的に加工できる機械を用いることが挙げられる。
【００４２】
図３に示すように、ブラシ部１３が最も湾曲する状態を側面視して、植毛部１４の全幅（ｎ）に対する植毛部１４の全長（ｍ）の割合（ｍ／ｎ）は、化粧料３を収容した容器２から化粧料塗布具１を引き抜き、余分な化粧料３を取り除く上下に動かすしごき操作を行った場合に、把持部１１に近いブラシ部１３から植毛部１４まで適量の化粧料３を貯留させることができる。更に睫毛への塗布しやすさの観点から、０．５以上１０以下であることが好ましく、１以上３．５以下であることがより好ましい。具体的には、植毛部１４の最大径（全幅）（ｎ）は、１ｍｍ以上１５ｍｍ以下が好ましく、２ｍｍ以上８ｍｍ以下がより好ましく、２ｍｍ以上６ｍｍ以下が更に好ましい。また、植毛部１４の全長（ｍ）は、好ましくは１ｍｍ以上１５ｍｍ以下、更に好ましくは２ｍｍ以上１０ｍｍ以下である。なお植毛部１４の最大径（全幅）（ｎ）は、本実施形態においては、周方向に一定であるが、一定でなくてもよい。具体的には、ブラシ部１３が最も湾曲する状態を側面視した際の植毛部１４の最大径（全幅）と、例えば、ブラシ部１３が軸方向（Ｙ方向）に平行に一直線状に延びる状態を側面視した際の植毛部１４の最大径（全幅）とが異なっていてもよい。
【００４３】
また、図３に示すように、ブラシ部１３が最も湾曲する状態を側面視して、植毛部１４の全長（ｍ）に対するブラシ部１３の全長（ｐ）の割合（ｐ／ｍ）は、化粧料の塗りやすさの観点から、１以上１０以下であることが好ましく、２以上７以下であることが更に好ましい。具体的には、ブラシ部１３の全長（ｐ）は、好ましくは３ｍｍ以上３５ｍｍ以下、更に好ましくは１５ｍｍ以上３０ｍｍ以下である。ここで、ブラシ部１３の全長（ｐ）は、軸方向（Ｙ方向）の上下端の最短距離ではなく、実際の細長い曲線状の芯体１３３の長さを意味する。
【００４４】
更にまた、図３に示すように、ブラシ部１３が最も湾曲する状態を側面視して、植毛部１４の全長（ｍ）とブラシ部１３の全長（ｐ）との合計値（ｐ＋ｍ）は、睫毛に化粧料３を一度に塗布できる観点から、５ｍｍ以上４０ｍｍ以下であることが好ましく、２０ｍｍ以上３５ｍｍ以下であることがより好ましい。
【００４５】
本実施形態の化粧料塗布具１は、図２及び図３に示すように、ブラシ部１３のブラシ毛１３２の先端を繋いだブラシの外形と、植毛部１４の外形との間に空隙部１５を有する。即ち、化粧料塗布具１は、ブラシ部１３と植毛部１４との境界に、ブラシ部１３の軸心方向に切り欠かれた空隙部１５を有している。具体的には、空隙部１５は、ブラシ部１３の軸方向（Ｙ方向）の最下端のブラシ毛１３２と、植毛部１４の軸方向（Ｙ方向）の上端側の植毛用基部の表面からブラシ部１３側に向かって立設する複数の繊維１４１の先端との間に、ブラシ部１３の芯体１３３方向に全周方向にわたって切り欠かれた状態で形成されている（図１０参照）。空隙部１５は、化粧料３を収容した容器２から化粧料塗布具１を引き抜き、余分な化粧料３を取り除く上下に動かすしごき操作を行った場合に、植毛部１４の液ダマの発生を抑制すべく、適量の化粧料３を貯留させる観点から、その体積が、植毛部１４の体積の０．１％以上１００％以下であることが好ましく、植毛部１４の体積の１％以上８０％以下であることがより好ましく、植毛部１４の体積の２％以上５０％以下が更に好ましい。具体的には空隙部１５の体積は、０．１ｍｍ3以上１５００ｍｍ3以下が好ましく、０．５ｍｍ3以上６００ｍｍ3以下がより好ましく、１ｍｍ3以上５０ｍｍ3以下が更に好ましい。
ここで、植毛部１４の体積は、図１０に示すように、植毛部１４の最も広い外周縁でできる仮想立体形状から得られる値である。また、空隙部１５の体積は、図１０に示すように、ブラシ部１３の軸方向（Ｙ方向）の最下側のブラシ毛１３２の先端と、植毛部１４の最も広い幅に位置する部分とを結んだ線を、ブラシ部１３の軸心を中心に全周にわたらせることにより想定される仮想３次元の立体円柱構造の部分から得られる値である。
【００４６】
また、化粧料塗布具１は、図３に示すように、ブラシ部１３が最も湾曲する状態を側面視して、外側部分に位置する放射状のブラシ毛１３２の先端どうしを繋いで形成される外側仮想曲線ＩＬ２の延長線上に沿って、植毛部１４の軸部１２を通る最大径の外形（外周縁）が配置されている。このことにより、目頭側から目尻側までにわたる睫毛の大部分にマスカラを塗布できる。なお延長線上に沿ってとは、植毛部１４の最外径の外形（外周）が、延長線上の外側１ｍｍから内側１ｍｍの範囲内にある程度を言う。
【００４７】
上述した本発明の実施形態の化粧料塗布具１を備える化粧料塗布装置１００を使用した際の作用効果について説明する。
図１に示すように、以上の構成を有する化粧料塗布具１が、化粧料塗布装置１００を構成する容器２内から引き抜かれると、しごき弁２１のしごき孔２１１により、化粧料塗布具１の軸部１２、ブラシ部１３及び植毛部１４に付着した過剰の化粧料３がしごき落とされる。その際、化粧料塗布具１の塗布部１０は、軸部１２におけるブラシ部１３から植毛部１４までの全領域が湾曲した形状に形成されており、化粧料塗布具１には、ブラシ部１３の軸方向（Ｙ方向）の下端（先端）に植毛部１４を有し、内側仮想曲線ＩＬ１の延長線上に沿って植毛部１４が配置されているので、ブラシ部１３の軸方向（Ｙ方向）の下端（先端）に化粧料３が塊状に付き難く、適量の化粧料３がブラシ部１３及び植毛部１４に保持されるようになる。特に、本実施形態の化粧料塗布具１は、図２及び図３に示すように、ブラシ部１３と植毛部１４との境界に空隙部１５を有しているので、しごき弁２１のしごき孔２１１によって過剰の化粧料３がしごき落とされる際に、余分な化粧料３を保持でき、化粧料塗布具１を上下に動かすしごき操作を行うことで、適量の化粧料３がブラシ部１３及び植毛部１４に保持されるようになる。
【００４８】
図１１（ａ）及び図１１（ｂ）には、本実施形態の化粧料塗布具１の使用状態の例が示されている。図１１（ａ）及び図１１（ｂ）は、塗布対象部位として、睫毛にマスカラ用の化粧料３を塗布する状態を示している。上述したように、化粧料塗布具１は、化粧料塗布装置１００を構成する容器２内から引き抜かれると、ブラシ部１３及び植毛部１４に適量の化粧料３が保持されるようになる。そのため、化粧料塗布具１の使用者は、適量の化粧料３が保持された植毛部１４を用いて、図１１（ａ）に示すように、睫毛の中央部だけでなく、短い睫毛の多い目頭側の睫毛にも、適量のマスカラ用の化粧料３を塗ることができる。また、適量の化粧料３が保持された植毛部１４を用いて、図１１（ｂ）に示すように、目尻側の睫毛にも、適量のマスカラ用の化粧料３を塗ることができる。
【００４９】
また、本実施形態の化粧料塗布具１は、図３に示すように、塗布部１０が前記軸部１２におけるブラシ部１３から植毛部１４までの全領域が湾曲した形状になっている。そのため、化粧料塗布具１の使用者は、図１１（ａ）に示すように、カーブしている瞼の目頭側から目尻側にわたる複数本の睫毛の大部分の根元に、ブラシ部１３及び植毛部１４を隙間なく密着させ、当てることができるので、睫毛にむらなく、一度に均一に塗布できる。更に、睫毛にマスカラのダマや毛束の発生を抑制し、美観に優れた仕上りが得られる。また、植毛部１４が使用者の鼻に当たり難く、視界も遮り難く、操作性が向上する。更に、使用を止め、容器２に化粧料塗布具１を収納する場合においても、ブラシ部から植毛部までの全領域が湾曲した形状になっているので、容器２の口部２３に塗布部１０が引っ掛かりにくく、把持部１１を持つだけで、やり直すことなく、スムーズに収納することができる。
【００５０】
また、化粧料塗布具１の使用者は、図１１（ａ）に示す状態から、化粧料塗布具１を睫毛に沿って睫毛の先端側に移動させることにより、瞼の目頭側から目尻側にわたる複数本の睫毛の大部分にマスカラ用の化粧料３を一度で塗布することができる。特に、本実施形態の化粧料塗布具１は、図２及び図３に示すように、ブラシ部１３と植毛部１４との境界に空隙部１５を有している。ここで、空隙部１５における、ブラシ部１３の軸方向（Ｙ方向）の最下端のブラシ毛１３２の延出方向と、植毛部１４の軸方向（Ｙ方向）の上端側の植毛用基部の表面からブラシ部１３側に向かって立設する繊維１４１の延出方向とは、異なっている。そのため、化粧料塗布具１を睫毛に沿って睫毛の先端側に移動させる際に、睫毛が引っ掛かりやすく、すくい上げやすくなっており、操作性が向上する。
【００５１】
図１２には、本発明の化粧料塗布具の別の実施形態が示されている。同図に示す形態の化粧料塗布具１は、これまでに説明してきた化粧料塗布具と異なり、ブラシ部１３が、湾曲した形状ではなく、連結部１２１の延びる方向と同方向に直線状に延びている。これ以外の点については、これまで説明してきた実施形態と同様の構成になっている。
【００５２】
本発明の化粧料塗布具は、上述した本実施形態の化粧料塗布具１に何ら制限されるものではなく、適宜変更可能である。
例えば、上述した化粧料塗布具１は、化粧料３としてマスカラ用の化粧料を用いた、図１１（ａ）及び図１１（ｂ）に示すようなマスカラ用の化粧料塗布具であったが、化粧料３としてアイブロー用の化粧料を用い、塗布対象部位を眉毛としたアイブロー用の化粧料塗布具であってもよい。更に、化粧料３として睫毛・眉毛用の美容液を用い、塗布対象部位を睫毛・眉毛とした睫毛・眉毛用の化粧料塗布具であってもよい。
【００５３】
また、本実施形態の化粧料塗布具１は、図２及び図３に示すように、ブラシ部１３と植毛部１４との境界に、ブラシ部１３の軸心方向に切り欠かれた空隙部１５を有しているが、空隙部１５を有していなくてもよい。
【００５４】
更に、本実施形態においては、先端ワイヤ部１６を構成する先端ワイヤ１６１が、ブラシ部１３を構成する金属製ワイヤ１３１と一体になって両者が連なっていたが、これに代えて、先端ワイヤ部１６を構成する先端ワイヤ１６１、及びブラシ部１３を構成する金属製ワイヤ１３１として別体のものを用い、両ワイヤを所定の結合手段によって結合させることで、両者を連ねるようにしてもよい。こうすることで、金属製ワイヤ１３１よりも細い先端ワイヤ１６１を用いることができ、該先端ワイヤ１６１から構成される先端ワイヤ部１６の形状や大きさの設計に一層の自由度が増す。
【００５５】
上述した実施形態に関し、更に以下の化粧料塗布具を開示する。
＜１＞
把持部と塗布部とを備える化粧料塗布具であって、
前記塗布部は、把持部から延びる軸部、該軸部から放射状に延びるブラシ毛によるブラシ部、及び該軸部における把持部とは反対側の先端に植毛部とを備えており、
前記ブラシ部は、２本の金属製ワイヤの間に前記ブラシ毛を差し込んだ状態で螺旋状に巻き付けられて形成されており、
前記植毛部は、前記ブラシ部を構成する前記金属製ワイヤに連なる金属製の先端ワイヤからなる先端ワイヤ部と、該先端ワイヤ部の表面に前記ブラシ毛よりも細かい繊維を備えた構成になっており、
前記先端ワイヤ部は、前記先端ワイヤを複数回捲回してなる捲回部を有している化粧料塗布具。
【００５６】
＜２＞
前記植毛部の外形が、略塊状である前記＜１＞に記載の化粧料塗布具。
＜３＞
前記先端ワイヤ部は、前記先端ワイヤの一捲回によって画定されるループ面が前記ブラシ部の延びる方向と略直交するように、該先端ワイヤが捲回されて形成されている捲回部を有している前記＜２＞に記載の化粧料塗布具。
＜４＞
前記先端ワイヤ部は、前記先端ワイヤの一捲回によって画定されるループ面が前記ブラシ部の延びる方向と略平行になるように、該先端ワイヤが捲回されて形成されている捲回部を有している前記＜２＞に記載の化粧料塗布具。
＜５＞
前記植毛部の前記繊維は、その存在密度が、前記ブラシ部の前記ブラシ毛の存在密度よりも高い前記＜１＞〜＜４＞のいずれか１に記載の化粧料塗布具。
＜６＞
前記ブラシ部の前記ブラシ毛の先端を繋いだ該ブラシ部の外形と、前記植毛部の外形との間に空隙部を有する前記＜１＞〜＜５＞のいずれか１に記載の化粧料塗布具。
【００５７】
＜７＞
前記塗布部は前記軸部における前記ブラシ部から前記植毛部までの全領域が湾曲した形状である前記＜１＞〜＜６＞のいずれか１に記載の化粧料塗布具。
＜８＞
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における最大径との割合（前記植毛部の最大径／前記ブラシ部最大径）が０．５以上、１．５以下である前記＜１＞〜＜７＞のいずれか１に記載の化粧料塗布具。
＜９＞
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における前記把持部とは反対側の先端径との割合（前記植毛部の最大径／前記ブラシ部先端径）が０．５以上、３以下である前記＜１＞〜＜８＞のいずれか１に記載の化粧料塗布具。
＜１０＞
前記＜１＞〜＜９＞のいずれか１に記載の化粧料塗布具と、化粧料を収容するための容器とを備える化粧料塗布装置であって、前記化粧料塗布具は、前記容器の口部から該容器内に出入自在になっており、前記容器には、その口部又はその近傍に、しごき孔を有する可撓性のしごき弁が設けられている化粧料塗布装置。
【符号の説明】
【００５８】
１  化粧料塗布具
１０  塗布部
１１  把持部
１２  軸部
１２１  連結部
１３  ブラシ部
１３１  金属製ワイヤ
１３２  ブラシ毛
１３３  芯体
１４  植毛部
１４１  繊維
１５  空隙部
１６  先端ワイヤ部
１６１  先端ワイヤ
１６２  捲回部
２  容器
２１  しごき弁
２１１  しごき孔
２２  ネジ部
２３  口部
３  化粧料
１００  化粧料塗布装置
【図１】
2018134422.tif 000003
【図２】
2018134422.tif 000004
【図３】
2018134422.tif 000005
【図４】
2018134422.tif 000006
【図５】
2018134422.tif 000007
【図６】
2018134422.tif 000008
【図７】
2018134422.tif 000009
【図８】
2018134422.tif 000010
【図９】
2018134422.tif 000011
【図１０】
2018134422.tif 000012
【図１１】
2018134422.tif 000013
【図１２】
2018134422.tif 000014
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
把持部と塗布部とを備える化粧料塗布具であって、
前記塗布部は、把持部から延びる軸部、該軸部から放射状に延びるブラシ毛によるブラシ部、及び該軸部における把持部とは反対側の先端に植毛部とを備えており、
前記ブラシ部は、２本の金属製ワイヤの間に前記ブラシ毛を差し込んだ状態で螺旋状に巻き付けられて形成されており、
前記植毛部は、前記ブラシ部を構成する前記金属製ワイヤに連なる金属製の先端ワイヤからなる先端ワイヤ部と、該先端ワイヤ部の表面に前記ブラシ毛よりも細かい繊維を備えた構成になっており、
前記先端ワイヤ部は、前記先端ワイヤを複数回捲回してなる捲回部を有しており、
前記先端ワイヤ部は、前記先端ワイヤの一捲回によって画定されるループ面が前記ブラシ部の延びる方向と略直交するように、該先端ワイヤが捲回されて形成されている前記捲回部を有しているか、又は前記先端ワイヤの一捲回によって画定されるループ面が前記ブラシ部の延びる方向と略平行になるように、該先端ワイヤが捲回されて形成されている前記捲回部を有している化粧料塗布具。
【請求項２】
前記植毛部の外形が、略塊状である請求項１に記載の化粧料塗布具。
【請求項３】
前記植毛部の前記繊維は、その存在密度が、前記ブラシ部の前記ブラシ毛の存在密度よりも高い請求項１又は２に記載の化粧料塗布具。
【請求項４】
前記ブラシ部の前記ブラシ毛の先端を繋いだ該ブラシ部の外形と、前記植毛部の外形との間に空隙部を有する請求項１〜３のいずれか１項に記載の化粧料塗布具。
【請求項５】
前記塗布部は前記軸部における前記ブラシ部から前記植毛部までの全領域が湾曲した形状である請求項１〜４のいずれか１項に記載の化粧料塗布具。
【請求項６】
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における最大径との割合（前記植毛部の最大径／前記ブラシ部最大径）が０．５以上、１．５以下である請求項１〜５のいずれか１項に記載の化粧料塗布具。
【請求項７】
前記塗布部が最も湾曲する状態を側面視して、前記植毛部の前記軸部を通る最大径と、前記ブラシ部の前記ブラシ毛の先端を繋いだ該ブラシ部の外形による湾曲した形状の仮想三次元の立体円柱構造における前記把持部とは反対側の先端径との割合（前記植毛部の最大径／前記ブラシ部先端径）が０．５以上、３以下である請求項１〜６のいずれか１項に記載の化粧料塗布具。
【請求項８】
請求項１〜７のいずれか１項に記載の化粧料塗布具と、化粧料を収容するための容器とを備える化粧料塗布装置であって、前記化粧料塗布具は、前記容器の口部から該容器内に出入自在になっており、前記容器には、その口部又はその近傍に、しごき孔を有する可撓性のしごき弁が設けられている化粧料塗布装置。